(57)【要約】【課題】解決しようとする問題点は、道端に設置された当該ポール等の下部が、犬の小便に含まれる塩分等により腐食が進行している。定期的な防錆塗料の塗布による防錆方法が一般的であるが、直接費用及び間接費用並びに錆びてしまった場合の立替え費用を含めると莫大な経費の無駄である。【解決手段】この解決策として、本発明５は、犬の小便が掛かり難い構造にした直円錐台形のスカート部３を有し、その上部に襟部２を有し、その下部に鍔部４を有する、ポリエチレン（ＰＥ）等合成樹脂製の柔軟性のある防御カバーを、タッピングネジ８でスカート部３の合わせ目の３ａ（スカート部の合わせ目部分裏側のビス止め用框）に締付けて止め、コンクリート釘等９で道路６に打ち付けて固定し、クランプ１０で当該ポール等１の下部に締付けて装着する方法で解決する。【選択図】図１
2005264695.tif 000002
【特許請求の範囲】
【請求項１】
犬の小便に含まれる塩分等が原因で、道端に設置している各種の鉄製ポール等（以下「当該ポール等」という）下部が腐食するのを防止するために、直円錐台形を有し渦巻状に巻いた本発明を、多少太さや形状が異なる当該ポール等に合わせて切って使用することにより、無駄無く、簡単にスカート状に装着でき、障害物が隣接する場所でも幅広く適応、装着可能であることを特徴とする、犬の小便防止ポールカバー。
【請求項２】
当該ポール等を設置している道路が水平または多少傾斜している場所でも、下部が広がった直円錐台形の特徴を有しているので、本発明の下部の縁から当該ポール等の根元までの間に空間ができるので、犬の小便が当該ポール等の根元に到達し難い。また、傾斜道路では、道路の傾斜角度に応じて、道路上手側の本発明の縁から当該ポール等の根元までの距離が長くなることで、小便が根元まで到達し難い合理的な直円錐台形を特長とする、犬の小便防止ポールカバー。
【請求項３】
直円錐台形の本発明の最下部に、直円錐台形の底面に真直ぐ延長に張り出した鍔部を有することで、本発明の縁から当該ポール等の根元までの距離を長くすることになり、犬の小便が当該ポール等の根元に到達し雛く、傾斜道路に本発明を装着した状況下で犬の小便が本発明のスカート部上手側斜面に掛けられた場合、犬の小便が鍔部の上を伝って下手方向に流れるので、当該ポール等の根元に到達し難い特徴を有する、犬の小便防止ポールカバー。
【発明の詳細な説明】
【技術分野】
【０００１】  本発明は、道路に設置している当該ポール等の下部について、犬の小便による鉄部の腐食を防止することを目的として、当該ポール等下部に犬の小便が直接に掛からないようにするための防御カバーに関するものである。
【背景技術】
【０００２】  当該ポール等の腐食を防止するには、各種の防錆塗料を塗布しているのが一般的である。【０００３】  当該ポール等が錆びない金属または材質で造られている場合は、問題ないのであるが、コスト的な面等からあまり普及しておらず、鉄製が大半であるので腐食が進行しているものが多い。
【発明の開示】
【発明が解決しようとする課題】
【０００４】  解決しようとする問題点は、特に、犬の習性として道端に設置している当該ポール等に小便を頻繁に掛ける。このために、犬の小便に含まれる塩分等により、当該ポール等下部の腐食を早めてしまう。【０００５】  当該ポール等の腐食を防止するには、定期的な防錆塗料の塗布が一般的である。【０００６】  しかし、時々は防錆塗料の塗布をしているのを見かけるが、大半の当該ポール等については、鉄錆が進行したまま放置されており、酷い状態のものは半分程度まで腐食が進行しており、強風があれば倒れて通行人等に危害を及ぼす危険すらある。【０００７】  また、当該ポール等に定期的な防錆塗料を塗布するための管理費用及びそのための直接費用並びに当該ポール等が腐食してしまった場合の立替え費用等の経済的損失は、日本全国を想定すると莫大な金額が費やされていることは、容易に推察できる。
【課題を解決するための手段】
【０００８】  上記課題を解決するための本発明の要旨第１は、直円錐台形のスカート部と、その上部に襟部を有し、その下部に鍔部を有する柔軟性のあるポリエチレン（ＰＥ）等合成樹脂製の犬の小便防止カバーを、渦巻状に巻いて提供することにある。本発明を渦巻状に巻いて提供することで、各種の当該ポール等に対して、適応性があり、作業効率の向上と、材料の無駄な使用をさせない仕組みを提供できる。【０００９】  上記課題を解決するための本発明の要旨第２は、本発明のスカート部が直円錐台形を有していることにある。当該ポール等の下部にスカート状に装着することで、道路に接する底面が広がっているので、本発明の道路に接する縁から当該ポール等の根元の間には空間ができ、犬の小便が当該ポール等まで届き難くなる。また、傾斜道路に装着する場合には、水平道路に装着した場合よりも、傾斜道路上手側の本発明の縁から当該ポール等の根元までの距離がさらに長くなるので効果的である。【００１０】  上記課題を解決するための本発明の要旨第３は、本発明のスカート部に鍔部を有する点にある。鍔部は、当該直円錐台形底面に真直ぐにスカート部の裾から張り出しているので、傾斜道路に設置した本発明の上手側スカート部斜面に犬の小便が掛けられた場合、縁部を伝って下手方向に流れるので、当該ポール等の根元に届き難い。
【発明の効果】
【００１１】  本発明は、当該ポール等の下部に腐食に強いポリエチレン（ＰＥ）等合成樹脂製のカバーを取付けることにより、簡単な方法で犬の小便を防御するので、当該ポール等の防錆塗装の回数が少なくてよく、長持ちさせることにより、経済的効果が大きい。また、本発明の材料は、ポリエチレン（ＰＥ）等所謂プラスチック製品のリサイクル品活用が可能で、資源の有効活用にも役立つ。
【発明を実施するための最良の形態】
【００１２】  当該ポール等下部腐食の最大の原因は、犬の小便に起因していると思われるが、本発明はこれを簡単な方法で、様々な設置状況にも適応でき、効果的に防御出来る利点にある。
本発明の主体は、道路に設置されている当該ポール等に対する犬の小便を防御するためのカバーの形状、実装方法にあるので、犬の小便の成分、化学系、リサイクル品活用方法の説明は省略する。
【実施例１】
【００１３】  図１は、本発明５を水平道路に設置した当該ポール等１に装着した側面姿図である。スカート部３は裾の方が広がった直円錐台形をして、スカート部３の上に襟部２があり、その下端に鍔部４がある。当該ポール等１への装着方法は、襟部２の円周を当該ポール等１の円周に合わせて、端が３ｃｍ程度重なるような長さでカットして、スカート状に装着する。タッピングネジ８でスカート部３の合わせ目の３ａ（スカート部の合わせ目部分裏側のビス止め用框）に締付けて止める。襟部２をクランプ１０で当該ポール等１に締付けて固定するのであるが、襟部２の上端にはクランプ１０の外れ防止のための突起部分１１を有する。鍔部４にコンクリート釘等９を打ち付けて道路６に固定する。このように本発明５を装着することで、スカート部１ｂに犬の小便が掛けられても矢印Ｃに示すように流れる。
【実施例２】
【００１４】  図２は、本発明を傾斜道路６に装着した側面姿図である。本発明５を傾斜道路６にフィットする状態に傾けて装着可能で、本発明スカート部斜面上手側１ｃ部分に犬の小便が掛かった場合には、矢印Ｃに示すように鍔部４を伝って下手側に流れるので当該ポール等１の根元に小便が届きにくい特徴を有する。また、傾斜道路上手側の鍔部端４ａに当該小便が掛かった場合に、４ａと１ａ間の距離は、水平道路に設置した場合よりも長くなるので、犬の小便が当該ポール等の根元に届き難い。
【実施例３】
【００１５】  図３は、当該ポール等１に壁等７が隣接している場所で本発明５を装着した状態を上から見た平面図である。本発明５を当該ポール等１に合わせて、切取部分１２をカットして前述した同様の方法で固定する。
【実施例４】
【００１６】  図４は、当該ポール等１に配管等７が付属している場合に、本発明５を装着した状態を上から見た平面図である。当該ポール等１と配管等７を抱き込むようにして、前述した同様の方法で固定する。【００１７】  図５は、Ａ切断線での断面図による説明である。図６は、本発明を渦巻状に巻いている姿を、上から見た平面姿図による説明である。図７は、Ｂ切断線での断面図による説明である。
【図面の簡単な説明】
【００１８】
【図１】  本発明を水平道路の当該ポール等に装着した姿図である。
【図２】  本発明を傾斜道路の当該ポール等に装着した姿図である。
【図３】  本発明を壁が隣接した当該ポール等に装着した平面図である。
【図４】  本発明に配管が付属した当該ポール等に装着した平面図である。
【図５】  本発明のＡ切断線での断面図である。
【図６】  本発明が渦巻状に巻かれた平面図である。
【図７】  渦巻状に巻かれた本発明のＢ切断線での断面図である。
【符号の説明】
【００１９】  １    鉄製ポール等
１ａ  当該ポール等１が傾斜道路に設置されている場合の上手側の端
１ｂ  本発明５スカート部に、犬の小便が主に掛けられる場所
１ｃ  本発明５スカート部斜面上手側に、犬の小便が主に掛けられる場所
２    本発明５スカート部の上にある襟部で、幅３ｃｍ程度
３    本発明５スカート部で、その傾斜角度は８０度程度、高さ４０ｃｍ程度
３ａ  ビス止め用框
４    本発明５スカート部の下端にある鍔部で、幅３センチメートル程度
４ａ  鍔部４の傾斜道路上手側の端を示す
５    本発明全体
６    当該ポール等１を設置している道路
７    当該ポール等１に隣接する壁、配管等の障害物
８    ３の合わせ目を３ａに止めるためのタッピングネジ
９    ４を道路に固定するためのコンクリート釘等
１０    ２を当該ポール等１に締付けて固定するためのクランプ
１１    クランプ１０が外れないようにするため、２の上端にある突起部分
１２    本発明５を壁等７の障害物に合わせて切った場合の切取部分
Ａ    本発明５をタッピングネジ８の所で縦に切断したときの縦切断線
Ｂ    渦巻状に巻かれた本発明５の真中を縦に切断したときの縦切断線
Ｃ    図１、図２での、犬の小便が主に流れる想定方向
【図１】
2005264695.tif 000003
【図２】
2005264695.tif 000004
【図３】
2005264695.tif 000005
【図４】
2005264695.tif 000006
【図５】
2005264695.tif 000007
【図６】
2005264695.tif 000008
【図７】
2005264695.tif 000009